(57)【要約】      （修正有）【課題】人や動物のフケや切れ毛、犬等の毛替わり及び蚤等の不衛生な異物を吸引し、外部に排出しないよう合理的に回収し、また脱毛を予防できる医療介護等の真空式のブラシ及び櫛の提供。【解決手段】一端を開口した隔室２の内に、開口方向にブラシ毛部及び櫛部４を設け、開口くち３から、真空吸引機部へ導通する吸引孔６を設けた接続部７を配し、開口くち３から真空吸引機部へ導通する真空穴８を隔室内に設け、隔室２内を構成する周壁に隔室２と外部とを連通させる真空度調整用孔９を設けた、医療介護用等の真空式のブラシ及び櫛。【選択図】図３
2005270615.tif 000002
【特許請求の範囲】
【請求項１】
一端を開口した隔室の周壁の内周に支持され、開口くち面に平行する方向にブラシ毛及び櫛等の根元支持部を設けた。その根元支持部に、直交して開口くちに向かってブラシ毛及び櫛を配し、開口くち以外の周壁に、真空吸引機部に導通する吸引孔を設け、開口くちから吸引孔へ導通する真空孔を、隔室内の根元支持部に設けた医療介護等の真空式のブラシ及び櫛。
【請求項２】
請求項１において、当該の開口くち以外の周壁及び接続部等から、真空吸引機へ導通する真空度調整用穴を設けた医寮介護等の真空式のブラシ及び櫛。
【発明の詳細な説明】
【発明の詳細な説明】
【産業上の利用分野】
【０００１】本発明は、人や動物のフケや切れ毛、犬等の毛替わり毛及び蚤等の不衛生な異物を吸引する、医療介護等の真空式のブラシと櫛である。
【背景技術】
【０００２】従来の散髪屋等は、動物の毛や樹脂毛等で、作られたブラシや櫛で、フケや切れ毛等を、すくい出すような状態で異物を掻き出す。【０００３】そのため、掻き出されたフケや切れ毛等は、空中に浮遊し周りの衣服などに移動し、最終的に床面上に落ちて処理をされていた。【０００４】フケ取り等の場合は、衣服の肩周り部に付着する、また室内の床面上等に落ち、ダニ等の餌になり不衛生的であった。
【発明が解決しょうとする課題】
【０００５】掻きだされたフケ及び切れ毛等は、床上に落ちる、また空中に舞い上がって、口咽喉に入り不快感が生じ、ダストアレルギーの起因となった。
【０００６】ダニや蚤等の餌となり、増殖及び死骸等によるアレルギーの要因となる。
【０００７】フケ等が衣服等に着くと美的感にも悪く、毛髪は皮膚に刺さりチクチクとして気持ちが悪く不快感を生じる。
【０００８】本発明は、上記した不美的感、不衛生的を解決する目的した真空式のヘアー等のブラシと櫛である。
【０００９】上記目的を達成するため、本発明は真空吸引機の吸い込み口とブラシ連結部とを導通ならしめ、開口くちよりフケ及び切れ毛等を吸引して、真空吸引機回収部で回収出来るようにした。
【００１０】ブラシの毛の周りを壁で囲み，毛の先端方向を開口にして、被接着部に密着することで、全閉の隔室が形成されるようにした。そこで、隔室内の気圧は真空圧力が高められ、より効果的に吸引ならしめるようにした。
【００１１】頭皮に付着したフケ等をブラシの毛でこすることと同時に、真空吸引で物理的に回収を容易にした。
【００１２】フケ症の人や、病気等で洗髪が出来なくフケ等の発症によるかゆみも解消ができ医療効果を助長する。
【作用】
上述のような問題に鑑みて、次のように構成されたブラシの開口くちを頭皮等に密着すると，隔室内の気圧が低い為周壁と頭皮の隙間から大気圧の空気が入り、真空吸引機の真空圧力差でフケ、切れ毛等がジェット気流に乗った状態で真空吸引機部回収スペースに合理的に受容部に吸引される。
【００１３】患部を周壁で囲むことで、気圧の圧力の差圧で中の物が外に出ることが皆無で、真空吸引機部に吸引されるため衛生的である。
【００１４】ブラシを移動さすことで、付着したフケ切れ毛等は物理的に移動、剥離されて、より効果的に真空吸引機部に回収する。
【００１５】犬、猫やペット等の蚤等の駆除が容易である。
【００１６】隔壁部を頭皮に吸着することと真空作用で頭皮の血行がよくなり、脱毛の予防等に良い。
【実施例】
【００１７】ブラシ部と真空吸引機部を分離した場合の実施例について説明すると、図１から図３において、この発明は医療介護等の真空式のブラシ及び櫛の機構は、一端を開口１した隔室２の周壁５の内周に支持され、開口くち３面の方向にブラシ毛及び櫛４等の根元支持部１０を設け、その根元支持部１０に、直交して開口くち３に向かってブラシ毛（獣毛や樹脂及び金属やその他の毛）及び櫛４を配し、開口くち３以外の周壁に真空吸引機部に導通する吸引穴６を設けた接続部７を配する。開口くち３から吸引孔６へ導通する真空孔８を隔室内２の根元支持部１０に設けた、開口くち３以外の周壁６及び接続部７等から、真空吸引機へ導通す真空度調整用孔９を設けた。接続部７にホース等で真空吸引機と接続した。フケや切れ毛取り等の実施例で説明すると、ブラシ等本体の隔壁の開口くち３を頭皮部に軽く押し当てて、ブラシ等が容易に移動出来る範囲に真空度調整用の孔９を開閉し調整する。隔室内２が低気圧で周壁５と頭皮の隙間から空気が流れ込み、ブラシ毛等の移動が相乗関係で頭髪及び頭皮からフケ等をすくい出す。真空の気流により、毛髪や頭皮に着いたフケ等が容易に吸い込まれて真空孔８を通り、そして吸引孔６を通り真空吸引機部で回収される。隔室内２のブラシ等部は気圧が周囲より低いので、隔室外に出ることはまったく無く衛生的に回収される。
【発明の効果】
【００１８】本発明は、以上説明したように構成されているので、以下に記載されているように効果を奏する。
【００１９】そこで、これから高齢化現象の現状において、病床の介護や寝たきり老人等において、非常に有効である。
【００２０】そして、本発明は構成全体が簡単である。安価で場所を取らず使用が容易である。
【００２１】犬猫等の毛等によるアレルギー性鼻炎等の防止になる。
【図面の簡単な説明】
【図１】    この発明の実施例を示す斜視図である。
【図２】    図１のＩＩ〜ＩＩの縦断面図である。
【図３】    横断面図である。
【符号の説明】
１、開口  ２、隔室  ３、開口くち  ４、ブラシ毛及び櫛部  ５、周壁  ６、吸引孔  ７、接続部  ８、真空孔  ９、真空度調整用孔  １０、ブラシ毛等の根元支持部。
【図１】
2005270615.tif 000003
【図２】
2005270615.tif 000004
【図３】
2005270615.tif 000005
【手続補正書】
【提出日】平成16年7月5日(2004.7.5)
【手続補正１】
【補正対象書類名】明細書
【補正対象項目名】全文
【補正方法】変更
【補正の内容】
【発明の詳細な説明】
【技術分野】
【０００１】本発明は、人や動物のフケや切れ毛や犬等の毛替わり毛及び蚤等の不衛生な異物害虫を吸引する、医療介護等の真空式のブラシと櫛である。【０００２】開口部の周壁を頭皮等に吸着し、適度の真空吸引作用及び頭皮ブラッシングやマッサージ作用する。頭皮等の毛細血管末端まで血行がよくなり、組織の活生化をうながし、脱毛の予防等に良く育毛発毛及び保全に貢献する真空式ブラシ及び櫛。
【背景技術】
【０００３】従来の散髪屋等は、動物の毛や樹脂毛等で、作られたブラシや櫛で、フケや切れ毛等を、すくい出すような状態で異物を掻き出す。【０００４】そのため、掻き出されたフケや切れ毛等は、空中に浮遊し周りの衣服などに移動し、最終的に床面上に落ちて処理をされていた。【０００５】フケ取り等の場合は、衣服の肩周り部に付着する、また室内の床面上等に落ち、ダニ等の餌になり不衛生的であった。【０００６】室内でのブラシッイングを行う場合、肩掛け等のカバーを装着するか、紙等を敷き衣服等に付着を防ぐことを余儀なくされる。【０００７】その肩掛け等のカバーの洗濯等を余儀なくされる。【０００８】がしかし、歳を老いて来ると、この簡単な作業も辛い。【０００９】また病床等の場合、寝具上では不都合である。
【発明解決しようとする課題】
【００１０】掻きだされたフケ及び切れ毛等は衣服や床上等に落ちる、また空中に舞い上がって、口咽喉に入り不快感が生じ、ダストアレルギーや猫アルギーの起因となった。
【００１１】ダニや蚤等の餌となり、増殖及び死骸等によるアレルギー等の要因となる。
【００１２】動物の毛替り等の場合、毛が空中に浮遊し、猫アレルギー等になる。
【００１３】フケ等が衣服等に着くと美的敵に不潔感を生じる。
【００１４】短切れ毛髪等は皮膚に刺さりチクチクとして気持ちが悪く不快感を生じる。
【００１５】老いて来ると短期間の洗髪等は困難を来たし、長期間を要しフケ症等の起因となる。
【００１６】そこで、本発明は上述のような作業及び問題点を無くすようにした。
【００１７】当該発明は、上記した不美的感、不衛生的を解決し、しかも適度の真空吸着で頭皮等の医療介護等を目的した真空式のヘアー等のブラシと櫛である。
【課題を解決するための手段】
【００１８】上記目的を達成するため、隔室及び接続部等に簡単に手元で真空圧強弱の調整可能にした。本発明の真空吸引機の吸い込み口とブラシ連結部とを導通ならしめ、開口くちよりフケ及び切れ毛等を吸引して、真空吸引機で回収出来るようにした。
【００１９】毛の先端方向を開口し、ブラシの毛等の周りを壁で囲んだ。がしかし掃除機用のブラシと違って開口くち周壁を頭皮部等に完全密着し、吸着可能な密閉の強真空度隔室が形成されるようにした。そこで、隔室内の気圧は真空圧力が強まる。手元で容易に調整可能な、真空調整孔を配した。真空調整孔での強弱繰り返し、適度な真空度で、血行がよくなり頭皮組織等が活生化ならしめるようにした。
【００２０】頭皮に付着したフケ等をブラシの毛で擦ると同時に、真空中でのブラッシング等マッサージ効果を促がし、そして真空吸引で物理的に異物等回収を容易にした。
【００２１】フケ症の人や、病気等で洗髪が出来なくフケ等の発症によるかゆみも解消ができ医療効果を助長する。
【作用】
【００２２】上述のような問題に鑑みて、次のように構成されたブラシの開口くちを頭皮等に密着すると，隔室内の気圧が低い為真空調整孔から大気圧の空気が入り、真空吸引機の真空圧力差でフケ、切れ毛等がジェット気流に乗った状態で、真空吸引機の回収スペース受容部に合理的に吸引される。
【００２３】患部を周壁で囲むことで、気圧の圧力差圧で中の物が外に出ることが皆無で、真空吸引機受容部に吸引されるため衛生的である。
【００２４】ブラシや櫛等を移動さすことで、付着したフケ切れ毛、害虫等は物理的に移動、剥離され、より効果的に真空吸引機に回収する。
【００２５】犬、猫やペット等の蚤等の駆除が容易である。
【００２６】隔壁部を頭皮等に吸着し、東洋医学の吸い玉と同原理で適度の真空作用で、頭皮等末端まで血行がよくなり、組織の活生化をうながし、脱毛の予防等に良く育毛保全等に貢献する。
【００２７】真空機能を止めると通常の使用方法ができる。
【実施例】
【００２８】ブラシ部と櫛部が真空吸引機部と分離した場合の実施例について説明すると、図１から図３において、この発明は医療介護等の真空式のブラシ及び櫛の機構は、一端を開口１した隔室２の周壁５の内周に支持され、開口くち３面の方向にブラシ毛及び櫛部４等の根元支持部１０を設け、その根元支持部１０に、直交して開口くち３に向かってブラシ毛（獣毛や樹脂及び金属やその他の毛）及び櫛部４を配し、開口くち３以外の周壁に、真空吸引機部に導通する吸引穴６を設け接続部７を配する。開口くち３から吸引孔６へ導通する真空孔８を、隔室２内の根元支持部１０に設けた、開口くち３以外の周壁６及び接続部７等から、真空吸引機へ導通す真空調整孔９を設けた。接続部７にホース等で真空吸引機と接続した。フケや切れ毛取り等の実施使用例で説明すると、ブラシ等本体の隔室２の開口くち３の周壁５を頭皮部に軽く押し当てて吸着させ、ブラシ等が適当に移動出来る範囲に、真空調整孔９を指等で開閉し適度に調整する。隔室２内が低気圧で、真空調整孔９から空気が流れ込み、ブラシ毛等の移動との相乗関係で頭髪及び頭皮からフケ等をすくい出す。真空と大気圧の気流にで、毛髪や頭皮に着いたフケ等が容易に吸い込まれ真空孔８を通り、そして吸引孔６を通り真空吸引機部で回収される。隔室２内のブラシ等部は気圧が周囲より低いので、合理的に隔室外に出ることは無く、フケ等は衛生的に真空吸引機受容部に回収される。と同時にブラシ部の真空調整孔９の開閉を指等で真空度強弱繰り返す、繰り返すことでより効果的となる。適度な調整繰り返しやブラシ等の移動等で、真空吸引中での頭皮等のブラッシングやマッサージ効果が毛細血管や組織等の活生化をより助長をうながす。
【発明の効果】
【００２９】本発明は、以上説明したように構成されているので、以下に記載されているように効果を奏する。
【００３０】そこで、これから高齢化現象等の現状に鑑みて、病床人の医療や寝たきり人等の介護等において、労働作業の軽減、衛生面等に非常に有効である。
【００３１】牛馬等のような大型動物の塵等の異物やダニ等の害虫駆除も、短時間で容易に処理ができ、牧畜業者や調教師等に効果的である。
【００３２】そして、本発明は構成全体が簡単で、真空吸引機と当該のブラシ部及び櫛部を、小型化一体型にするとより簡便にでき、毎日日常的に使用でき、より効果的となる。
【００３３】安価で場所を取らず使用が容易である。
【００３４】犬猫等の毛等によるアレルギーや鼻炎等の防止になる。
【００３５】適度の真空調整で頭皮部等が真空及びマッサージ作用により、血行をより良くし、また真空作用で毛穴等の脂肪や不純物等が吸出され、洗毛すれば人や犬猫、牛馬の動物等の毛艶がよくなり動物愛好家等にも有効である。
【図面の簡単な説明】
【００３６】
【図１】この発明の実施例を示す斜視図である。
【図２】図１のＩ〜Ｉの縦断面図である。
【図３】横断面図である。
【符号の説明】
【００３７】１、開口  ２、隔室  ３、開口くち  ４、ブラシ毛及び櫛部  ５、周壁  ６、吸引孔  ７、接続部  ８、真空孔  ９、真空調整孔  １０、ブラシ毛等の根元支持部、  １１、隔室の隔壁  １２、接続部の隔壁。
【手続補正２】
【補正対象書類名】特許請求の範囲
【補正対象項目名】全文
【補正方法】変更
【補正の内容】
【特許請求の範囲】
【請求項１】
一端を開口１した隔室２の周壁５の内周に支持され、開口くち３面に平行する方向にブラシ毛及び櫛部４等の根元支持部１０を設けた。その根元支持部１０に、直交して開口くち３に向かってブラシ毛及び櫛部４を配した。開口くち３の周壁５面が頭皮等に密着し吸着するようにした。開口くち３以外の隔室の隔壁１１に、真空吸引機部に導通する吸引孔６接続部７を設け、開口くち３から吸引孔６へ導通する真空孔８を、隔室２内の根元支持部１０に配したことを特徴とする、医寮介護等の真空式のブラシ及び櫛。
【請求項２】
請求項１において、当該の開口くち３周壁５以外の、隔室の隔壁１１及び接続部の隔壁１２等から、真空吸引機へ導通する真空調整穴９を設けたことを特徴とする医寮介護等の真空式のブラシ及び櫛。
【請求項３】
請求項１及び２において、隔室２の周壁５の開口３面を頭皮等に密着することで、形成される隔室２内を、真空にならしることを特徴とする頭髪等の育毛発毛及び保全等する方法。
【手続補正４】
【補正対象書類名】図面
【補正対象項目名】全図
【補正方法】変更
【補正の内容】
【書類名】図面    【図１】2005270615.tif 000006
【図２】2005270615.tif 000007
【図３】2005270615.tif 000008